(57)【要約】  本発明に係るデスクトップ・コンピュータ用ケースは、メインボード、パワーサプライ（ＰＳ）、光ディスクドライブ（ＯＤＤ）、及びハードディスクドライブ（ＨＤＤ）を備えるコンピュータの構成部品を収めるためのデスクトップ・コンピュータ用ケースであって、１以上の前記コンピュータの構成部品を収めるための第１の本体、及び１以上の前記コンピュータの構成部品を収めるための第２の本体を備えるが、前記第１及び第２の本体は、相互間に角度調節が行われることを特徴とする。これにより、事務空間の活用度が一層アップすると共に、デスクトップ・コンピュータの使い勝手が向上する。
2006522405.tif 000002
【特許請求の範囲】
【請求項１】
メインボード、パワーサプライ（ＰＳ）、光ディスクドライブ（ＯＤＤ）、及びハードディスクドライブ（ＨＤＤ）を備えるコンピュータの構成部品を収めるためのデスクトップ・コンピュータ用ケースであって、
１以上の前記コンピュータの構成部品を収めるための第１の本体と、
１以上の前記コンピュータの構成部品を収めるための第２の本体と、を備えるが、
前記第１及び第２の本体は、相互間に角度調節が行われることを特徴とするデスクトップ・コンピュータ用ケース。
【請求項２】
前記第１及び第２の本体はメインヒンジにより結合され、第１及び第２の本体のうちどちらか一方以上の前記メインヒンジ側の終端には、前記第１及び第２の本体間の最大角度を制限するためのストッパが形成されていることを特徴とする請求項１に記載のデスクトップ・コンピュータ用ケース。
【請求項３】
前記第１の本体に収められる前記１以上のコンピュータの構成部品は前記メインボードを有し、前記第２の本体に収められる前記１以上のコンピュータの構成部品は前記光ディスクドライブを有することを特徴とする請求項１に記載のデスクトップ・コンピュータ用ケース。
【請求項４】
前記第１の本体は、前記メインボードが第２の本体の反対方向を向くように前記メインボードを収めることを特徴とする請求項２に記載のデスクトップ・コンピュータ用ケース。
【請求項５】
前記第１の本体の外側面は、前記第１の本体に開放自在に結合されることを特徴とする請求項４に記載のデスクトップ・コンピュータ用ケース。
【請求項６】
前記第１及び第２の本体はメインヒンジにより結合され、前記第１の本体の外側面は第１のヒンジにより開閉され、前記第１のヒンジは前記第１の本体の外側面の前記メインヒンジから遠い方の終端及び左右側端のうちどちらか一方以上に設けられることを特徴とする請求項５に記載のデスクトップ・コンピュータ用ケース。
【請求項７】
前記第１の本体の外側面は、中間ヒンジにより分割されることを特徴とする請求項５に記載のデスクトップ・コンピュータ用ケース。
【請求項８】
前記第１の本体の外側面は、前記メインボードの幅を超える長さに形成され、前記中間ヒンジは、前記メインボードの終端に対応する位置に形成されることを特徴とする請求項７に記載のデスクトップ・コンピュータ用ケース。
【請求項９】
第２の本体の第１の本体との反対側面には、床面との滑り止めを行う滑り止め機構が取り付けられていることを特徴とする請求項２に記載のデスクトップ・コンピュータ用ケース。
【請求項１０】
前記第２の本体の内側面は、前記第２の本体に開放自在に結合されることを特徴とする請求項２に記載のデスクトップ・コンピュータ用ケース。
【請求項１１】
前記第１及び第２の本体はメインヒンジにより結合され、前記第２の本体の内側面は第２のヒンジにより開閉され、前記第２の本体の内側面は前記メインヒンジに近い第１の内側面と前記メインヒンジから遠い第２の内側面に分割され、前記第２のヒンジにより前記第２の内側面が開閉されることを特徴とする請求項１０に記載のデスクトップ・コンピュータ用ケース。
【請求項１２】
前記第２のヒンジは、前記第１の内側面及び前記第２の内側面をヒンジ結合することを特徴とする請求項１１に記載のデスクトップ・コンピュータ用ケース。
【請求項１３】
前記第２の本体の内側面は、前記第２の本体の両側面により支承されることを特徴とする請求項１０ないし１２のうちいずれかに記載のデスクトップ・コンピュータ用ケース。
【請求項１４】
前記第２の本体内には収納スペースを形成する隔壁が設けられ、前記隔壁には、ケーブルが行き来するための貫通口が形成されることを特徴とする請求項２に記載のデスクトップ・コンピュータ用ケース。
【請求項１５】
前記貫通口は、第１及び第２の本体が最大角度に展開されたとき、第１の本体の外側面により隠れるような個所に形成されることを特徴とする請求項１４に記載のデスクトップ・コンピュータ用ケース。
【発明の詳細な説明】
【技術分野】
【０００１】
本発明はデスクトップ・コンピュータ用ケース（あるいは、コンピュータ筐体とも称する。）に関する。
【背景技術】
【０００２】
周知の如く、現代の事務環境において、コンピュータは極めて重要な役割を果たす。事務用コンピュータは、大きく持ち運び性に優れているノート型パソコンと事務空間に設置して使用するデスクトップ・コンピュータに大別できる。
【０００３】
ノート型パソコンは持ち運び性を考慮して小型軽量に設計されるが、その構成にはコストが要されるという欠点がある。これに対し、デスクトップ・コンピュータは比較的に大型であるため、その設置に大きな空間を占めるという欠点がある。
【０００４】
例えば、机の上に置いて使用する場合には、事務に直接的に使われるべき空間をコンピュータが占めてしまうために不便であり、且つ、コンピュータ本体と他の周辺機器に接続される配線などが美観を著しく害している。
【０００５】
このため、近年、デスクトップ・コンピュータ本体は主として机の下の空間に置く場合が多い。しかし、この場合には、ＣＤ−ＲＯＭ，ＤＶＤなどの光ディスクドライブ（Optical Disk Drive；ＯＤＤ）またはＵＳＢポートを使用する必要がある場合、身体を大きく曲げなければならないという不都合がある。
【０００６】
また、ハードディスクドライブ（ＨＤＤ）の追加／交換、ビデオカードやサウンドカードなどの各種のインタフェースカードの追加／交換などのように、コンピュータシステムのアップグレードが必要となる場合、机の下の空間に隠れている本体を取り出してケースを開かなければならないという不都合がある。
【０００７】
前記システムのアップグレードなどの作業を行うために本体の位置を変える可能性があることを考慮に入れて、本体の後方に接続される各種のケーブルは十分に長く保たれる必要があるが、その場合、机の下の空間が乱されるだけではなく、ホコリが積もり易くなるという不都合がある。
【０００８】
一方、従来のディスプレイ装置の主流をなしていたＣＲＴモニターの代わりに、近年に至っては、ＬＣＤモニターなどのフラットディスプレイ装置が急速度に普及しつつある。フラットディスプレイ装置は、ディスプレイ画面（すなわち、前面）からディスプレイ装置の背面までの長さが小さなため、事務空間が効率よく使えるというメリットがある。
【０００９】
さらに、この種のフラットディスプレイ装置は薄膜であるため、ＣＲＴモニターに比べてフラットディスプレイ装置を机の奥側に押しやって作業スペースを確保することが可能になる。しかし、机の最奥側にフラットディスプレイ装置を置く場合、目から遠ざかりすぎるという不具合がある。このため、フラットディスプレイ装置を普通のところに置くと、ディスプレイ画面が机の奥側に位置することにより、事務空間が広くなると共に、ディスプレイ装置の後方には空き空間が作られる。
【００１０】
しかしながら、薄いフラットディスプレイ装置であるとしても、これを机の上に立てるためには、受け台などが占める空間もあって、当然のことながら、最小限の机の床の空間が必要となる。
【発明の開示】
【発明が解決しようとする課題】
【００１１】
本発明の目的は、事務空間の活用度が一層アップすると共に、デスクトップ・コンピュータの使い勝手が向上するデスクトップ・コンピュータ用ケースを提供することである。
【課題を解決するための手段】
【００１２】
前記目的を達成するために、本発明に係るデスクトップ・コンピュータ用ケースは、メインボード、パワーサプライ（ＰＳ）、光ディスクドライブ、及びハードディスクドライブを備えるコンピュータの構成部品を収めるためのデスクトップ・コンピュータ用ケースであって、１以上の前記コンピュータの構成部品を収めるための第１の本体と、１以上の前記コンピュータの構成部品を収めるための第２の本体と、を備えるが、前記第１及び第２の本体は、相互間に角度調節が行われることを特徴とする。
【００１３】
前記第１及び第２の本体はメインヒンジにより結合され、第１及び第２の本体のうちどちらか一方以上の前記メインヒンジ側の終端には、前記第１及び第２の本体間の最大角度を制限するためのストッパが形成される。これにより、第１の本体を立てることができる。
【００１４】
好ましくは、前記第１の本体に収められる前記１以上のコンピュータの構成部品は前記メインボードを有し、前記第２の本体に収められる前記１以上のコンピュータの構成部品は前記光ディスクドライブを有する。すなわち、前記メインボードと前記光ディスクドライブは、互いに別々に収められることが好ましい。
【００１５】
前記第１の本体は、前記メインボードが第２の本体の反対方向を向くように前記メインボードを収めることが、メンテナンスの側面で有利である。このとき、前記第１の本体の外側面は、前記第１の本体に開放自在に結合されることが一層有利である。
【００１６】
より具体的に、前記第１及び第２の本体はメインヒンジにより結合され、前記第１の本体の外側面は、第１のヒンジにより開閉される場合、前記第１のヒンジは前記第１の本体の外側面の前記メインヒンジから遠い方の終端及び左右側端のうちどちらか一方以上に設けられる。
【００１７】
好ましくは、前記第１の本体の外側面は、中間ヒンジにより分割される。
【００１８】
好ましくは、前記第１の本体の外側面は前記メインボードの幅を超える長さに形成され、前記中間ヒンジは前記メインボードの終端に対応する位置に形成される。
【００１９】
好ましくは、第２の本体の第１の本体との反対側面には、床面との滑り止めを行う滑り止め機構が取り付けられる。
【００２０】
前記第２の本体の内側面は、前記第２の本体に開放自在に結合されることが、メンテナンスの側面で有利である。
【００２１】
より具体的に、前記第１及び第２の本体はメインヒンジにより結合され、前記第２の本体の内側面は第２のヒンジにより開閉され、前記第２の本体の内側面は前記メインヒンジに近い第１の内側面と前記メインヒンジから遠い第２の内側面に分割され、前記第２のヒンジにより前記第２の内側面が開閉される。好ましくは、前記第２のヒンジは、前記第１の内側面及び前記第２の内側面をヒンジ結合する。
【００２２】
前記第２の本体の内側面は、前記第２の本体の両側面により支承されることが、強度の側面で有利である。
【００２３】
前記第２の本体内には収納スペースを形成する隔壁が設けられ、前記隔壁には、ケーブルが行き来するための貫通口が形成される。これにより、第２の本体にホコリなどの異物が流入することを防ぐことができる。
【００２４】
このとき、前記貫通口は、第１及び第２の本体が最大角度に展開されたとき、第１の本体の外側面により隠れるような個所に形成される。これにより、行き来するケーブルが外部に露出されることが防がれるだけではなく、異物の流入が最小限に抑えられる。
【発明の効果】
【００２５】
本発明の実施の形態によれば、コンピュータケースに収められる４大構成要素であるメインボード、パワーサプライ、光ディスクドライブ、及びハードディスクドライブが角度調節自在な第１及び第２の本体に別々に収められることにより、デスクトップ・コンピュータが机の上で占める空間を効率よく狭めることができ、コンピュータの様々なレイアウトが可能になる。
【００２６】
また、図２に示すように、本発明の実施の形態によれば、折畳状態で通常のデスクトップ・コンピュータのように使用でき、図６に示すように、展開状態で第２の本体上にＬＣＤモニター６１０などを載せて使用できるほか、机の上に載せて使用する場合にも空間活用度に優れている。
【００２７】
特に、メインボードと光ディスクドライブが第１及び第２の本体に別々に収められることにより、コンピュータの使い勝手が向上すると共に、ケースの空間活用度がアップする。
【００２８】
また、メインボードは、第１の本体（すなわち、垂直本体）に第２の本体との反対方向を向くように収められることにより、インタフェースカードの差し替え／追加などのメンテナンスが簡単に行える。
【００２９】
特に、第１の本体の外側面が開閉可能であることから、メンテナンス性がアップする。具体的に、第１の本体の外側面が第１のヒンジにより開閉され、この第１のヒンジは第１及び第２の本体を結合するメインヒンジから遠い方に配置されることにより、第１の本体の外側面が完全に開放でき、その結果、メインボード付属品（ＣＰＵ及び各種のインタフェースカードなど）の取替え／追加作業が一層簡単に行える。
【００３０】
さらに、第１の本体の外側面が中間ヒンジにより分割されることにより、外部ケーブルの接続など前面開放が不要な場合にも効率よいメンテナンスが行える。したがって、前記第１の本体の外側面は前記メインボードの幅を超える長さに形成され、前記中間ヒンジは前記メインボードの終端に対応する位置に形成されることが一層有効である。
【００３１】
このような構成により、第１及び第２の本体間を結合する各種の配線は、第１及び第２の本体が所定の角度に展開されたとき、第１及び第２の本体により隠れる。
【００３２】
前記第１及び第２の本体のヒンジ結合側に第１及び第２の本体間の最大角度を定めるストッパが設けられることにより、第１及び第２の本体は安定的な角度（例えば、９０°）を保持することができる。
【００３３】
光ディスクドライブが取り付けられる第２の本体は、床面との滑り止めを行う滑り止め機構を備えることにより、机の上でケースを安定的に保持することができる。
【００３４】
また、第２の本体の内側面が開閉できることから、メンテナンス性がアップする。このとき、第２の本体の内側面が２つに分割されてメインヒンジから遠い部分が開閉されることにより、第２の本体の前方に位置する光ディスクドライブの取替え／追加作業が簡単に行える。特に、第２の本体の分割された２つの部分がヒンジ結合されることにより、第２の本体の開閉部が開放されるとき、ドライブの取替え／追加作業が一層容易になる。
【００３５】
このように、本発明の実施の形態によるデスクトップ・コンピュータ用ケースは、第１及び第２の本体を折り畳んだ状態で机の下の空間など通常の位置に置けることから、その活用性に優れている。
【発明を実施するための最良の形態】
【００３６】
以下、添付図面に基づき、本発明の実施の形態を詳述する。
【００３７】
周知の如く、コンピュータ用ケースには、少なくともメインボード（マザーボードとも称する。）、パワーサプライ（ＰＳ）、ハードディスクドライブ、ＣＤＲＯＭなどの光ディスクドライブが収められなければならない。通常、これら４種類のコンピュータの構成要素はコンピュータの４大構成要素と呼ばれるが、以下では、コンピュータの構成部品と称する。
【００３８】
図１は、この種のコンピュータの構成部品を収めるための本発明の実施の形態によるデスクトップ・コンピュータ用ケースの外観を示す斜視図である。
【００３９】
図１に示すように、本発明の実施の形態によるデスクトップ・コンピュータ用ケースは、１以上の前記コンピュータの構成部品を収めるための第１の本体１１０、及び１以上の前記コンピュータの構成部品を収めるための第２の本体１２０を備えるが、前記第１及び第２の本体は、相互間に角度調節が行われる。
【００４０】
すなわち、コンピュータの構成部品のうち少なくとも１以上は第１の本体１１０に、そして少なくとも１以上は第２の本体１２０に収められることにより、コンピュータの構成部品が第１及び第２の本体１１０，１２０に別々に収められる。
【００４１】
また、第１及び第２の本体１１０，１２０間の角度が調節自在に、第１及び第２の本体１１０，１２０はヒンジ１５１，１５２（以下、メインヒンジと称する。）により結合される。
【００４２】
このため、メインヒンジ１５１，１５２により第１及び第２の本体１１０，１２０が折り畳まれたときには、本発明の実施の形態によるケースは、図２に示す如き外観を有する。このため、本発明の実施の形態によるケースは、図２に示すように折畳状態であるとき、通常のデスクトップ用コンピュータケースのように机の下の空間などに置いて使用することができる。
【００４３】
図１に戻ると、本発明の実施の形態によるケースにおいて、第１及び第２の本体１１０，１２０は、略直方形の外観を呈する。
【００４４】
但し、第１の本体１１０の外側面２４０（図２参照）は内側面１３０よりも長く形成され、第１の本体１１０の左右側面１３３，１３４のメインヒンジ１５１，１５２側の先端は斜めに形成される。同様に、第２の本体１２０の外側面１７８は内側面１７０よりも長く形成され、第２の本体１２０の左右側面１７３，１７４のメインヒンジ１５１，１５２側の先端は斜めに形成される。
【００４５】
このため、このように斜めに形成された第１及び第２の本体１１０，１２０の左右側面１３３，１３４，１７３，１７４の終端の突部１９０，１９１は、第１及び第２の本体１１０，１２０間の最大角度を制限するストッパの機能を行う。このため、図１に示すように、第２の本体１２０を机の床に置き、第１の本体１１０を第２の本体１２０に対して所定の角度（例えば、９０°）に保持することができる。
【００４６】
第２の本体の前面１７６には、コンピュータの電源供給を制御するための電源スイッチ１４１及びリセットスイッチ１４２、そしてコンピュータの動作状態を表示するための表示装置１９１，１９２が設けられる。前記表示装置１９１，１９２は、例えば、電源の入／切を表示するためのＬＥＤ１９１及びハードディスクドライブ（図４における４１０）の動作有無を表示するためのＬＥＤ１９２でありうる。また、第２の本体１２０の前面１７６にはＵＳＢポート１４０が設けられる。
【００４７】
言うまでもなく、コンピュータの動作状態を表示するためのＬＣＤ（図示せず）が前記ＬＥＤ１９１，１９２の代わりに設けられても、ＬＥＤ１９１，１９２に加えてさらに設けられても良い。
【００４８】
前記スイッチ類１４１，１４２、表示装置１９１，１９２、及びＵＳＢポート１４０などは、本発明の実施の形態においては、例えば、第２の本体１２０の前面１７６に設けられるとして図示／説明されているが、前面１７６だけではなく、左右側面１７３，１７４または内側面１７０など他のところに設けられても良い。
【００４９】
このように第１及び第２の本体１１０，１２０を９０°に展開した状態、または折り畳んだ状態でコンピュータが使用できるように、第１及び第２の本体１１０，１２０にはコンピュータの構成部品が別々に収められる。図３及び図４には、各コンピュータの構成部品の好適な配置例が示してある。
【００５０】
すなわち、図３に示すように、第１の本体１１０にはメインボード３１０及びパワーサプライ３５０が収められ、メインボードの入出力端子３２０は第１の本体１１０の後方（すなわち、メインヒンジ側）に位置するように収められる。また、パワーサプライ３５０は、電源ケーブル端子（図示せず）が後方に位置するように収められる。このため、モニター、キーボード、マウス、プリンタなど各種の入出力装置及び周辺装置はケースの後方から接続されるため、これらの装置を接続するためのケーブルが外部に露出されることが最小限に抑えられる。
【００５１】
図４に示すように、第２の本体１２０にはＣＤ−ＲＯＭ１８１、ＤＶＤ１８２などの光ディスクドライブとハードディスクドライブ４１０が収められる。
【００５２】
すなわち、ユーザの使い勝手を考慮して、前記光ディスクドライブ１８１，１８２は机の床に置かれる第２の本体１２０に収められる。
【００５３】
本発明の実施の形態においては、通常、第２の本体１２０の前方にキーボードなどの周辺機器が置かれることを考慮に入れ、光ディスクドライブ１８１，１８２のドアの開閉を妨げないように、第２の本体１２０のある側面に向かって（例えば、右側面１７４を向くように）光ディスクドライブ１８１，１８２を配置している。このために、第２の本体１２０の右側面１７４には光ディスクドライブ１８１，１８２に対応する大きさの開口が形成されている。
【００５４】
しかしながら、このような配置例は本発明の好適な一実施の形態に過ぎず、光ディスクドライブの各種の配置構造も本発明の保護範囲に含まれると解釈さるべきである。例えば、光ディスクドライブのドアの位置が高く設計されるだけで、第２の本体の前面１７６側への開閉がキーボードなどに何ら干渉されないということは言うまでもない。
【００５５】
メインボード３１０に差し込まれる各種のインタフェースカード（図示せず）の交換／追加など、コンピュータのメンテナンス時の使い勝手を向上させるために、前記メインボード３１０は、好ましくは、第２の本体１２０の反対方向を向くように第１の本体１１０に収められる。これは、本発明の実施の形態によるケースを折り畳んだ状態（図２参照）で第１の本体１１０を開放することにより、メンテナンスが容易に行えるためである。
【００５６】
第１の本体１１０を開放するために、図３に示すように、本発明の実施の形態によるケースにおいては、第１の本体１１０の外側面２４０が第１の本体１１０に開放自在に結合されている。
【００５７】
すなわち、第１の本体１１０の外側面２４０は、外側面２４０と左側面１３３との間に設けられるヒンジ２５１，２５２（以下、第１のヒンジと称する。）により連結されている。このため、外側面２４０は第１のヒンジ２５１，２５２により開放可能になる。本発明の実施の形態には、２つの第１のヒンジが使用される例が挙げられているが、これは本発明の好適な一実施の形態に過ぎず、第１のヒンジの数により本発明の保護範囲が制限されることはない。
【００５８】
また、本発明の実施の形態においては、第１のヒンジ２５１，２５２が第１の外側面２４１と左側面１３３との間に形成されていると説明しているが、実質的に、前記第１のヒンジ２５１，２５２は、第１の外側面２４１の他の辺（右側端、あるいは、前面側の終端）に設けられても外側面２４０が開閉自在になることは自明である。併せて、本発明の実施の形態においては、第１のヒンジ２５１，２５２による外側面２４０の開閉構造について説明しているが、これは、外側面２４０の開閉構成の好適な一実施の形態に過ぎず、これと異なる構成の開閉構造（例えば、スライド方式により外側面２４０を第１の本体１１０から脱去する仕組み）も本発明の保護範囲に含まれると解釈さるべきである。
【００５９】
第１の本体１１０の外側面２４０は、一層好ましくは、中間ヒンジ２６１，２６２により第１及び第２の外側面２４１，２４２に分割される。このような分割構造により、第１の本体１１０の外側面２４０が全て開放されるか、あるいは、外側面２４０の一部、すなわち、第２の外側面２４２のみが開放される。このため、メインボード３１０上のインタフェースカード（図示せず）の差し替え、パワーサプライ３５０の取り替えなどの作業を行うために第１の本体１１０を全て開放する必要がある場合には、第１のヒンジ２５１，２５２を用いて外側面２４０を全て開放しても良く、逆に、キーボードの取り替え、プリンタケーブルの接続など周辺機器入出力端子３２０の接続作業を行うためには、第２の外側面２４２だけを開放することにより、メンテナンスが簡単に行える。
【００６０】
このような点を考慮して、図３に示すように、第１の本体１１０の外側面２４０は、前記メインボード３１０の幅を超える長さに形成され、前記中間ヒンジ２６１，２６２は、前記メインボード３１０の終端に対応する位置に形成されることが好ましい。
【００６１】
メンテナンス性を高めるために、好ましくは、第１の本体１１０の外側面２４０が第１の本体１１０に開放自在に結合されるのと同様に、第２の本体１２０の内側面１７０も第２の本体１２０に開放自在に結合される。
【００６２】
本発明の実施の形態においては、図４に示すように、第２の本体の内側面１７０は前記メインヒンジ１５１，１５２に近い第１の内側面１７１と前記メインヒンジ１５１，１５２から遠い第２の内側面１７２に分割されるが、前記第１及び第２の内側面１７１，１７２はヒンジ１６１，１６２（以下、第２のヒンジと称する。）により連結されている。このため、第２の内側面１７２は、第２のヒンジ１６１，１６２により開放可能である。
【００６３】
本発明の実施の形態においては、第２のヒンジ１６１，１６２が第１及び第２の内側面１７１，１７２の間に形成されると説明しているが、実質的に、前記第２のヒンジ１６１，１６２は第２の内側面１７２の他の３辺（左右側端、前面側の終端）のうちいずれかに設けられても第２の内側面１７２が開閉自在になることは言うまでもない。併せて、本発明の実施の形態においては、第２のヒンジ１６１，１６２による第２の内側面１７２の開閉構造について説明しているが、これは、第２の内側面１７２の開閉構造の好適な一実施の形態例に過ぎず、これと異なる構成の開閉構造（例えば、スライド方式により第２の内側面１７２を第２の本体１２０から脱去する仕組み）も本発明の保護範囲に含まれると解釈さるべきである。
【００６４】
本発明の実施の形態においては、第２の本体１２０の内側面１７０上にＬＣＤモニター（図示せず）などの周辺装置が置けるほどの強度を得るために、第２の本体１２０の内側面１７０は、第２の本体の左右側面１７３，１７４を覆うように形成される。このため、内側面１７０が閉じられても左右側面１７３，１７４により支承されるため、内側面１７０の上に何かが置かれる場合の強度が補強できる。
【００６５】
言うまでもなく、第２の本体１２０の内部に隔壁（図示せず）が立設される場合、強度が一層強くなる。
【００６６】
第２の本体１２０に収められる光ディスクドライブ１８１，１８２とハードディスクドライブ４１０は、メインボード３１０とデータをやり取りすると共に、パワーサプライ３５０からの電源供給を受ける必要がある。このため、第１及び第２の本体１１０，１２０間には、多数のデータケーブル及び電源ケーブルが行き来する。
【００６７】
好ましくは、このように第１及び第２の本体１１０，１２０間に行き来するケーブルが外部に露出されることを最小限に抑えると共に、床面に置かれる第２の本体１２０内にホコリ、その他異物が流入することを抑える必要がある。
【００６８】
このために、本発明の実施の形態によるケースは、図４に示すように、第２の本体１２０のコンピュータ構成部品の収納スペースを形成する隔壁４２０を備える。前記隔壁４２０は、第１の内側面１７１の下側に設けられて収納スペースを最大限に確保する。
【００６９】
前記隔壁４２０には、ケーブルが行き来するための貫通口４３０が形成されている。前記貫通口４３０は、好ましくは、第１及び第２の本体１１０，１２０が最大角度（すなわち、９０°）に展開されたとき、第１の本体の外側面２４０により隠れるような位置に形成される。このため、貫通口４３０はできる限り高く形成され、これにより、ホコリなどの異物が外部から第２の本体１２０に流入することを防ぐことができる。
【００７０】
本発明の実施の形態によるケースにおいて、コンピュータの構成部品を取り付けるための構成は当業者に周知の通りである。但し、図５に基づき、ハードディスクドライブ４１０や光ディスクドライブ１７１，１８２を取り付けるための好適な構成例について説明する。
【００７１】
図５には、例えば、ハードディスクドライブ４１０が第２の本体１２０の外側面１７８に取り付けられる機構（メカニズム）が示してある。
【００７２】
ハードディスクドライブ４１０の右側面には、固定用ボルトを締め付けるためのボルト孔５１１，５１２が形成されている。そして、第２の本体１２０の外側面１７８の内側には突部５１０が形成され、突部５１０の上面にも固定用ボルトを締め付けるためのボルト孔５４１，５４２が形成されている。
【００７３】
これらは、直角に曲がった冶具５５０により互いに固定される。ここで、冶具５５０は、垂直面にはハードディスクドライブ４１０のボルト孔５１１，５１２に対応する位置に細長い貫通孔５２１，５２２が形成され、水平面には突部５１０のボルト孔５４１，５４２に対応する位置に細長い貫通孔５３１，５３２が形成されている。
【００７４】
ハードディスクドライブ４１０の左側面も、その右側面と同様に第２の本体１２０に取り付けられる。また、光ディスクドライブ１８１，１８２もハードディスクドライブ４１０と同様に第２の本体１２０に取り付けられる。第１の本体１１０に収められるパワーサプライ３５０の取付けメカニズムも、上述した如き光ディスクドライブなどの取付けメカニズムと同様である。
【００７５】
本発明の実施の形態によるケースにおいて、第２の本体１２０は、ユーザの使い勝手を向上させるために、机の床などに載置可能になっている。このため、この場合、第２の本体が机の上で小さな衝撃により滑ることを防ぐように、図５に示すように、第２の本体１２０の外側面１７８の下側（すなわち、第１の本体との反対側面）には、滑り止め機構５９０が設けられる。前記滑り止め機構はゴム製であり、好ましくは、前記外側面１７８の下側の４隅（図５に示す２隅及びこれに対応する右側の２隅）に設けられる。
【００７６】
以上、本発明について好適な実施の形態を挙げて詳細に説明してきたが、本発明はこれらの実施の形態に何ら限定されるものではない。また、上記の実施の形態から当業者によって容易に変形されてそれと均等であると認められる範囲のあらゆる変形例は、本発明に属するものとして理解さるべきである。
【図面の簡単な説明】
【００７７】
【図１】本発明の実施の形態によるデスクトップ・コンピュータ用ケースの基本状態における外観を示す斜視図である。
【図２】本発明の実施の形態によるデスクトップ・コンピュータ用ケースの折畳状態における外観を示す斜視図である。
【図３】本発明の実施の形態によるデスクトップ・コンピュータ用ケースの垂直本体の詳細構成を示す構成図である。
【図４】本発明の実施の形態によるデスクトップ・コンピュータ用ケースの水平本体の詳細構成を示す構成図である。
【図５】本発明の実施の形態によるデスクトップ・コンピュータ用ケースにコンピュータの構成部品が取り付けられるメカニズムを示す図である。
【図６】本発明の実施の形態によるデスクトップ・コンピュータ用ケースの使用例を示す図である。
【図１】
2006522405.tif 000003
【図２】
2006522405.tif 000004
【図３】
2006522405.tif 000005
【図４】
2006522405.tif 000006
【図５】
2006522405.tif 000007
【図６】
2006522405.tif 000008
【国際調査報告】
2006522405.tif 000009